(57)【要約】【課題】  強い押圧力を必要としない簡易穿孔装置を提供する。【解決手段】  穿孔操作時に接近し解除操作時には離れる一対のワーク端が対向して設けられている。一方のワーク端には刃支持体１３、他方のワーク端にはホルダー１４が存在する。刃支持体１３には、その先端部が他方のワーク端を指向する柱状刃１３１の基端部が固定されている。ホルダー１４には、柱状刃１３１の先端部を収容するための孔部１４１が形成されている。柱状刃１３１の先端部は、その外縁がそれぞれ柱軸方向の長さの異なる一対の刃部に一体成形され、その窪み部分が長さの短い刃部の方向に偏心している。【選択図】      図１
2007000944.tif 000002
【特許請求の範囲】
【請求項１】
シート体を穿孔する片手操作可能な簡易穿孔装置であって、
穿孔操作時に接近し解除操作時には離れる一対のワーク端が対向して設けられており、
一方のワーク端には、その先端部が他方のワーク端を指向する柱状突起体の基端部が固定されており、
他方のワーク端には、接近時に前記柱状突起体の先端部を収容するホルダーが形成されており、
前記柱状突起体の先端部は、その外縁がそれぞれ柱軸方向の長さの異なる一対の刃部に一体成形され、その窪み部分が前記長さの短い刃部の方向に偏心している、
簡易穿孔装置。
【請求項２】
前記一方のワーク端には、孔部が形成されたカバーが弾性保持されており、
前記カバーは、解除操作時には前記柱状突起体を覆いつつ前記シート体のセットをガイドする形状をなし、穿孔操作時には前記孔部から前記柱状突起体の先端部を露出させる、
請求項１記載の簡易穿孔装置。
【請求項３】
前記柱状突起体が、前記一方のワーク端に所定の間隔で複数配設されている、
請求項２記載の簡易穿孔装置。
【請求項４】
前記複数の柱状突起体が、所定の間隔で複数列配設されている、
請求項３記載の簡易穿孔装置。
【請求項５】
前記他方のワーク端のうち、少なくとも前記柱状突起体の基端の固定部位付近が透光性部材で構成されている、
請求項３または４記載の簡易穿孔装置。
【発明の詳細な説明】
【技術分野】
【０００１】
本発明は、シート体を気軽に穿孔することにより、そのシート体に記された情報の部分消失を可能にする簡易穿孔装置に関する。
【背景技術】
【０００２】
個人情報保護法の実施に伴い、個人情報が特定可能な印刷情報を裁断することが、日常の生活で必要となっている。このような印刷情報の典型は、郵送された封筒である。従来、封筒については、中身を抜き取った後、宛名等を隠すために、封筒全体をシュレッダまたはハンドシュレッダにかけて裁断したりしていた。
しかし、シュレッダ等は、場所をとるし、モータ駆動の場合には電源も必要になる。また、封筒全体を裁断することから、裁断屑が多くなる。２またはそれ以上の穴あけを行う穴あけ事務用品も存在するが、従来のこの種の穴あけ事務用品では、封筒やはがきをセットする深さが決まってしまうので、宛名シールが不定の位置に貼られた大型封筒の場合には対応することができない。また、その刃部が軸に対して対称に成形されているため、封筒のような比較的丈夫な紙に穴を開けるときは強い押圧力が必要になる。
以上の事情から、結局は、裁断が億劫になってしまうという問題があった。
【発明の開示】
【発明が解決しようとする課題】
【０００３】
本発明は、場所をとらず、電源も必要とせず、強い押圧力も必要としない、簡易穿孔装置を提供することをその課題とするものである。
【課題を解決するための手段】
【０００４】
本発明の簡易穿孔装置は、シート体を穿孔する片手操作可能な簡易穿孔装置であって、穿孔操作時に接近し解除操作時には離れる一対のワーク端が対向して設けられている。一方のワーク端には、その先端部が他方のワーク端を指向する柱状突起体の基端部が固定されており、他方のワーク端には、接近時に前記柱状突起体の先端部を収容するホルダーが形成されている。前記柱状突起体の先端部は、その外縁がそれぞれ柱軸方向の長さの異なる一対の刃部に一体成形され、その窪み部分が前記長さの短い刃部の方向に偏心している。ここで「ワーク端」とは、シート体の穿孔ワークを行うために形成された端部をいう。
このように構成された簡易穿孔装置は、一対の刃部のうち長い刃部の先端がシート体の表面に点として入り、次に、相対的に短い刃部がシート体を裁断した後、左右の窪み部分でシート体から離れる。そのため、穿孔初期に要する力が小さくて済み、シート体を容易に穿孔することができる。
【０００５】
操作性を向上させる観点からは、前記一方のワーク端に、孔部が形成されたカバーを弾性保持されておく。このカバーは、解除操作時には前記柱状突起体を覆いつつ前記シート体のセットをガイドする形状をなし、穿孔操作時には前記孔部から前記柱状突起体の先端部を露出させる。これにより、シート体を柱状突起体に引っかけることなく、装置にセットすることができる。
【０００６】
ある実施の態様では、前記柱状突起体が、前記一方のワーク端に所定の間隔で複数配設されており、さらに、これらの柱状突起体は、所定の間隔で複数列配設されている。
【０００７】
穿孔部位の位置決めを容易にする観点からは、前記他方のワーク端のうち、少なくとも前記柱状突起体の基端の固定部位付近を透光性部材で構成する。
【発明の効果】
【０００８】
本発明の簡易穿孔装置は、柱状突起体の先端部の外縁がそれぞれ柱軸方向の長さの異なる一対の刃部に一体成形され、その窪み部分が長さの短い刃部の方向に偏心しているため、小さい力でシート体を穿孔することができる。また、シート体全体ではなく、所定部位のみを穿孔するので、穿孔屑は必要最低限となり、それを貯めた場合であっても廃棄回数の増加が抑制され、煩わしさがなくなる。
シート体が封筒やはがきの場合、宛名の部分を穿孔により消失させることができるので、個人情報の保護に資することができる。宛名を穿孔した後の封筒やはがきは、他の用途に流用することもでき、資源のリサイクルに貢献することもできる。
【発明を実施するための最良の形態】
【０００９】
図１（ａ）は、本発明を適用した簡易穿孔装置の一例を示す上面部である。
この簡易穿孔装置１は、第１の工具部材と第２の部材とを備えている。第１の工具部材は、把持部１１ａとアーム部１１ｂとを有し、他方、第２の工具部材は、把持部１２ａとアーム部１２ｂとを有している。これらの１対の工具部材は、連結部１０により相対回動可能に連結されており、穿孔操作時、すなわち、使用者が把持部１１ａ，１２ａを把持して握力を加える操作を行ったとき、アーム部１１ｂ，１２ｂが互いに接近するようになっている。他方、解除操作時、すなわち、使用者が把持部１１ａ，１２ａに加えていた握力を解除する操作を行ったとき、アーム部１１ｂ，１２ｂは、互いに離れるようになっている。把持部１１ａ，１２ａには、バネ１６が取り付けられている。このバネ１６は、その一方端が２つの把持部１１ａ，１２ａの一方に取り付けられ、他方端が自由端となって、使用時以外は、第２の工具部材を接近させてコンパクトに収容できるようになっている。
【００１０】
簡易穿孔装置１は、アーム部１１ｂ，１２ｂの先端付近に穿孔ワークのための機構が設けられている。それ故、本明細書では、アーム部１１ｂ，１２ｂの先端を「ワーク端」、対向するワーク端に挟まれた空間を「ワーク空間」と称する。シート体は、このワーク空間にセットされる。シート体が大型封筒の場合は、二つ折りにして宛名の部分をワーク空間にセットすれば良い。
【００１１】
アーム部１２ｂのワーク端には刃支持体１３が設けられている。
刃支持体１３は、透光性部材、例えば透明樹脂製の平板であり、断面円形または略円形の複数の柱状刃１３１の基端が、図１（ｂ）のように、１列に埋め込まれている。柱状刃１３１は、好ましくは金属で形成するが、硬質部材であれば、必ずしも金属である必要はない。また、図１（ａ）における柱状刃１３１は４個であるが、この数は任意である。また、１つの列だけでなく、複数列であっても良い。
【００１２】
このように透光性部材で刃支持体１３を構成することにより、使用者が、穿孔しようとする部位を視認できるため、穿孔部位の位置決めが極めて容易になる。
【００１３】
柱状刃１３１の外形、配設間隔は、例えば、封筒またははがきの宛名を解読されない程度のサイズ、間隔で足りる。柱状刃１３１の先端は、ホルダー１４を指向している。柱状刃１３１の形状については、後述する。
【００１４】
他方、アーム部１１ｂの先頭付近には、ホルダー１４が設けられている。
ホルダー１４は、柱状刃１３１と穿孔により生じたシート屑とを収容する中空かつ蓋付きの略箱体であり、刃支持体１３を指向する面部（蓋とは反対の面部）には、柱状刃１３１の配設間隔にあわせて当該柱状刃１３１の径よりもやや大きい内径の孔部１４１が形成されている。この孔部１４１は、望ましくは、柱状刃１３１の位置ずれが予想される方向、例えばアーム軸方向に長軸を持つ楕円状のものとする。ホルダー１４には、柱状刃１３１のほかに、シート屑も収容される。貯まったシート屑は、係止部１４２を操作して、蓋の係止を解除することにより、外部に放出できるようになっている。
【００１５】
図２（ａ）は、他の実施の形態例を示す簡易穿孔装置の上面図である。
この簡易穿孔装置２が図１（ａ）に示した簡易穿孔装置１と異なるのは、刃支持体２３及びバネ２６の構造である。バネ２６は、その両端部が共に把持部２１ａ、２２ａに取り付けられている。図１（ａ）との対比では、把持部２１ａは把持部１１ａ、把持部２２ａは把持部１２ａ、アーム部２１ｂはアーム部１１ｂ、アーム部２２ｂはアーム部１２ｂ、連結部２０は連結部１０、にそれぞれ対応する。
ホルダー２４も、柱状刃２３１の配設間隔にあわせて孔部２４１が形成されている点、係止部２４２を有する点は、図１（ａ）に示したものと同じである。
【００１６】
図２（ａ）に示される簡易穿孔装置２の刃支持体２３は、複数の柱状刃２３１が図１（ａ）に示されたものとは異なる方向の列に、２列で配列されており（図２（ｂ））、さらに、バネ２３２で弾性保持されたカバー２３３が設けられている。カバー２３３には、柱状刃２３１に対応する部位に孔部が設けられている。カバー２３３は、柱状刃２３１を覆いつつ、穿孔するシート体、例えば紙のセットをガイドする形状をなしている。具体的には、シート体がワーク空間にスムーズに入りやすいように、先端部がＲ状に成形されている。カバー２３３は、樹脂等の弾力性のある部材で形成される。
なお、刃支持体２３は、図２（ｃ）のような構造にすることもできる。すなわち、複数の柱状刃２５１を１列に配列した刃支持体２５とすることもできる。
【００１７】
簡易穿孔装置２の各部は、穿孔操作時には図３（ａ）に実線で示すように変位する。すなわち、使用者が、把持部２１ａ，２２ａを把持して握力を加え始めると、刃支持体２３とホルダー２４とが、ワーク空間に向かって互いに接近する。このとき、バネ２６が付勢される。その方向に握力を加えると、やがて、カバー２３３が、その接触部位の形状に応じて徐々に変形し、カバー２３３の孔部から柱状刃２３１の先端部が露出し始める。このとき、ワーク空間にシート体がセットされていれば、露出した柱状刃２３１の先端部によって、そのシート体に穿孔され始める。柱状刃２３１の先端部は、徐々にホルダー２４の孔部に収容される。そして、さらに握力を加えると、刃支持体２３とホルダー２４は、図３（ｂ）のように互いに対向面が接触し、柱状刃２３１は、ホルダー２４に収容される。
【００１８】
他方、解除操作時は、バネ２６によって消勢されるので、使用者は、把持部２１ａ，２２ａに加えていた握力を解除するだけで、図３（ａ）の破線で示される方向に刃支持体２３とホルダー２４が動き、カバー２３３も元の形状に復帰する。
【００１９】
＜柱状刃の構造＞
簡易穿孔装置におけるの柱状刃１３１，２３１は、特殊な形状の刃先に成形している。良く知られた二穴穿孔装置の場合、穿孔用の刃は、円柱状の先端部をその中心軸に対称形に凹状に切削することによって成形されている。これは、二穴穿孔装置が、使用時に、使用者が操作ハンドルを直接押圧するから、刃先に均等に押圧力がかかるようにするためである。しかも、加えた押圧力が刃先に直接作用するため、このような形状の刃でも、容易にシート体を穿孔することができる。しかし、図１（ａ）または図２（ｂ）のような構造の簡易穿孔装置１，２では、使用者が加えた力が連結部１０，２０を介して柱状刃１３１，２３１に伝わる。そのため、従前と同じ構造では、刃先に力がかかりにくく、穿孔の際に大きな力を要する。
【００２０】
そこで、本実施形態の簡易穿孔装置１，２では、例えば、柱状刃１３１，２３１の先端部は、その外縁がそれぞれ柱軸方向の長さの異なる一対の刃部に一体成形され、その窪み部分が長さの短い刃部の方向に偏心するように成形する。
【００２１】
より具体的には、図４に示すような構造の柱状刃１３１とする。図４（ａ）は、その斜視図、同（ｂ）は側面図、同（ｃ）は上面図、同（ｄ）は背面図である。柱状刃２３１も同じ構造のものとなる。すなわち、柱状刃１３１は、円柱状の基体１３ａの先端部を、一方の刃部１３ｂと他方の刃部１３ｃに一体成形する。これらの刃部１３ｂ，１３ｃは、それぞれ外縁が鋭利な刃となるように、中央部に向かうにつれて凹状に切削加工することが望ましい。
穿孔操作時には、まず、刃部１３ｂの先端Ｓ１０１がシート体の表面に点として突き刺さり、その周囲の外縁によってシート体が徐々に切り込まれていく。そして、シート体の表面が刃部１３ｃの先端Ｓ１０２に達した時点で、その刃部１３ｃの先端Ｓ１０２がシート体を裁断し始める。最後に、偏心された位置の窪み部分Ｓ１０３からシート体の裁断屑が離れ、穿孔が終了する。これにより、例えば２点同時に突き刺さる対称構造の柱状刃よりも小さい力でシート体の目標部位を穿孔することができる。
【００２２】
図５は、本発明の簡易穿孔装置の変形例を示す上面図である。この簡易穿孔装置３は、図２（ａ）に示した簡易穿孔装置２の把持部２１ａ，２１ｂを、はさみ状の把持部３１ａ，３１ｂにしたものである。その他の部分は、図２（ａ）に示したものと同じとなる。すなわち、図２（ａ）との対比では、アーム部３１ｂはアーム部２１ｂ、アーム部３２ｂはアーム部２２ｂ、連結部３０は連結部２０、刃支持体３３は刃支持体２３、ホルダー３４はホルダー２４、柱状刃３３１は柱状刃２３１、バネ３３２はバネ２３２、カバー３３３はカバー２３３、孔部３４１は孔部２４１、係止部３４２は係止部２４２に、それぞれ対応する。
【００２３】
柱状刃３３１として図４（ａ）〜（ｄ）に示した構造のものを採用することにより、図５に示されるように、はさみのような操作感を使用者に与える簡易穿孔装置３であっても、少ない力で容易にシート体を穿孔することができる。
【００２４】
このように、本実施形態の簡易穿孔装置１，２，３は、場所をとらず電気も必要としない事務用品としての利便性がある。また、シート体全体を裁断するものでなく、部分的に穿孔するだけなので、穿孔された部分以外は、活用することができる。
【００２５】
なお、図１（ａ）に示した簡易穿孔装置１では、他の簡易穿孔装置２，３が有するバネ２３２，３３２およびカバー２３３，３３３が無いものとして説明したが、これらを備えるものであっても良い。
また、本明細書では、把持部をペンチあるいははさみに用いられる把持部と同じにした例を示したが、把持部は、他の構造のものであっても良い。また、ワーク空間にシート体をセットして、対向する一対のワーク端の柱状突起体の先端で穿孔できれば本発明の実施はできるので、例えばホチキス（登録商標）状のような構造の簡易穿孔装置にすることもできる。
さらに、柱状刃の基体は、円柱または略円柱のみならず、角柱のものであっても良い。角柱の場合の先端部は、例えば一つの角部を中心に第１の刃部に成形するとともに、対角線上の他の角部を中心に第２の刃部に成形すれば良い。
【産業上の利用可能性】
【００２６】
本発明の簡易穿孔装置は、事業所のみならず家庭においても使用される手軽な事務用品としての利用が可能である。
【図面の簡単な説明】
【００２７】
【図１】（ａ）は本発明の実施の形態例を示す簡易穿孔装置の上面図、（ｂ）は刃支持体の拡大図。
【図２】（ａ）は他の実施の形態例を示す簡易穿孔装置の上面図、（ｂ）および（ｃ）は刃支持体の拡大図。
【図３】（ａ）は簡易穿孔装置の使用状態を示した図、（ｂ）は穿孔操作時の部分拡大図。
【図４】（ａ）は、柱状刃１３１の斜視図、同（ｂ）は側面図、同（ｃ）は上面図、同（ｄ）は背面図。
【図５】他の実施の形態例を示す簡易穿孔装置の上面図。
【符号の説明】
【００２８】
１，２，３  簡易穿孔装置
１０，２０，３０  連結部
１１ａ，２１ａ，３１ａ  把持部
１１ｂ，２１ｂ，３１ｂ  アーム部
１３，２３，２５，３３  刃支持体
１３１，２３１，３３１  柱状刃
１４，２４，３４  ホルダー
１６，２６  バネ
１４１，２４１，３４１  孔部
１４２，２４２，３４２  係止部
２３２，３３２  カバー用のバネ
２３３，３３３  カバー
【図１】
2007000944.tif 000003
【図２】
2007000944.tif 000004
【図３】
2007000944.tif 000005
【図４】
2007000944.tif 000006
【図５】
2007000944.tif 000007